(57)【要約】【課題】車両の乗員に対して、当該車両の走行状況に応じた適切な表示形態で広告情報を表示する技術を提供する。【解決手段】表示面を道路に向けて設置された表示装置に、広告情報を表示させる情報処理装置であって、前記道路を走行する車両の走行状況を取得することと、前記走行状況に基づき、前記広告情報の表示形態として、第一表示形態、又は当該第一表示形態よりも情報量が多い第二表示形態を選択することと、前記走行状況に基づいて選択された前記表示形態で前記広告情報を前記表示装置に表示させることとを実行する。【選択図】図１
2020030361.tif 000002
【特許請求の範囲】
【請求項１】
表示面を道路に向けて設置された表示装置に、広告情報を表示させる情報処理装置であって、
前記道路を走行する車両の走行状況を取得することと、
前記走行状況に基づき、前記広告情報の表示形態として、第一表示形態、又は当該第一表示形態よりも情報量が多い第二表示形態を選択することと、
前記走行状況に基づいて選択された前記表示形態で前記広告情報を前記表示装置に表示させることと、
を実行する制御部を備える、情報処理装置。
【請求項２】
前記走行状況が、前記道路を走行する前記車両の車速、前記道路の混雑の程度、前記道路に設置された信号機の灯器が示す情報、又は前記車両が自動運転中か否かを示す情報である請求項１に記載の情報処理装置。
【請求項３】
前記制御部は、前記走行状況として、前記信号機の前記灯器が示す情報を取得し、当該灯器が示す情報が、前記車両の進行が可能であることを示す場合に、前記第一表示形態を選択し、前記灯器が示す情報が、前記車両の進行が不可であることを示す場合に、前記第二表示形態を選択する請求項２に記載の情報処理装置。
【請求項４】
前記制御部は、前記走行状況として、前記混雑の程度を取得し、当該混雑の程度が所定値未満であった場合に、前記第一表示形態を選択し、前記混雑の程度が所定値以上であった場合に、前記第二表示形態を選択する請求項２〜３の何れか一項に記載の情報処理装置。
【請求項５】
前記制御部は、前記走行状況として、前記車両が自動運転中か否かを示す情報を取得し、前記車両が自動運転中でなかった場合に、前記第一表示形態を選択し、前記車両が自動運転中であった場合に、前記第二表示形態を選択する請求項２〜４の何れか一項に記載の情報処理装置。
【請求項６】
前記制御部は、時間帯に応じて前記表示装置に表示させる前記広告情報を異ならせる請求項１〜５の何れか一項に記載の情報処理装置。
【請求項７】
表示面を道路に向けて設置された表示装置に、広告情報を表示させる情報処理方法であって、
前記道路を走行する車両の走行状況を取得することと、
前記走行状況に基づき、前記広告情報の表示形態として、第一表示形態、又は当該第一表示形態よりも情報量が多い第二表示形態を選択することと、
前記走行状況に基づいて選択された前記表示形態で前記広告情報を前記表示装置に表示させることと、
を制御部が実行する情報処理方法。
【請求項８】
表示面を道路に向けて設置された表示装置に、広告情報を表示させる情報処理方法をコンピュータに実行させるためのプログラムであって、
前記道路を走行する車両の走行状況を取得することと、
前記走行状況に基づき、前記広告情報の表示形態として、第一表示形態、又は当該第一表示形態よりも情報量が多い第二表示形態を選択することと、
前記走行状況に基づいて選択された前記表示形態で前記広告情報を前記表示装置に表示させることと、
をコンピュータに実行させるプログラム。
【発明の詳細な説明】
【技術分野】
【０００１】
本発明は、情報処理装置、情報処理方法およびプログラムに関する。
【背景技術】
【０００２】
近年、デジタルサイネージは、広く普及し、種々の場所に設置されている。また、交差点において信号機の表示状態を取得する技術が知られている。例えば、特許文献１は、交差点内に車両が位置していること、及び右折待ち状態であることを検出した場合、対向車線用信号機の信号の表示状態を表す信号表示情報を獲得し、その信号表示情報を運転者に告知することが記載されている。
【先行技術文献】
【特許文献】
【０００３】
【特許文献１】特開２００６−１５５３１９号公報
【発明の概要】
【発明が解決しようとする課題】
【０００４】
本発明は、車両の乗員に対して、当該車両の走行状況に応じた適切な表示形態で広告情報を表示する技術の提供を目的とする。
【課題を解決するための手段】
【０００５】
本発明の第１の態様は、
表示面を道路に向けて設置された表示装置に、広告情報を表示させる情報処理装置であって、
前記道路を走行する車両の走行状況を取得することと、
前記走行状況に基づき、前記広告情報の表示形態として、第一表示形態、又は当該第一表示形態よりも情報量が多い第二表示形態を選択することと、
前記走行状況に基づいて選択された前記表示形態で前記広告情報を前記表示装置に表示させることと、
を実行する制御部を備える、情報処理装置である。
【０００６】
本発明の第２の態様は、
表示面を道路に向けて設置された表示装置に、広告情報を表示させる情報処理方法であって、
前記道路を走行する車両の走行状況を取得することと、
前記走行状況に基づき、前記広告情報の表示形態として、第一表示形態、又は当該第一表示形態よりも情報量が多い第二表示形態を選択することと、
前記走行状況に基づいて選択された前記表示形態で前記広告情報を前記表示装置に表示させることと、
を制御部が実行する情報処理方法である。
【０００７】
本発明の第３の態様は、
表示面を道路に向けて設置された表示装置に、広告情報を表示させる情報処理方法をコンピュータに実行させるためのプログラムであって、
前記道路を走行する車両の走行状況を取得することと、
前記走行状況に基づき、前記広告情報の表示形態として、第一表示形態、又は当該第一表示形態よりも情報量が多い第二表示形態を選択することと、
前記走行状況に基づいて選択された前記表示形態で前記広告情報を前記表示装置に表示
させることと、
をコンピュータに実行させるプログラム、または、該プログラムを非一時的に記憶したコンピュータ可読記憶媒体である。
【発明の効果】
【０００８】
本発明によれば、車両の乗員に対して、当該車両の走行状況に応じた適切な表示形態で広告情報を表示する技術を提供することができる。
【図面の簡単な説明】
【０００９】
【図１】実施形態に係る広告表示システムの概略構成を示す図である。
【図２】情報処理装置の機能構成を例示する図である。
【図３】広告情報テーブルの一例を示す図である。
【図４】同じ広告要素について、第一表示形態である広告情報と第二表示形態である広告情報とを登録した広告情報テーブルの例を示す図である。
【図５】信号機を撮影した撮影画像の一例を示す図である。
【図６】実施形態において、複数の道路を広告情報の表示対象とした場合のカメラや表示装置の配置を示す図である。
【図７】情報処理装置が実行する表示制御方法の処理手順を示す図である。
【図８】変形例１に係る表示制御方法の処理手順を示す図である。
【図９】変形例２に係る表示制御方法の処理手順を示す図である。
【図１０】変形例３に係る広告表示システムの概略構成を示す図である。
【図１１】変形例３に係る表示制御方法の処理手順を示す図である。
【図１２】変形例４に係る表示制御方法の処理手順を示す図である。
【発明を実施するための形態】
【００１０】
デジタルサイネージの普及に伴い、車両で走行している際に、沿道に設置されたデジタルサイネージを見る機会が増えている。しかしながら、走行している車両の乗員、特に運転者は、デジタルサイネージに表示される広告情報を詳細に見ていることができないため、広告情報が詳細な内容であったり、動画であったりすると、内容を十分に把握することができないことがあった。このため、走行している車両の乗員でも内容を把握し易いように、広告情報を簡潔な内容や静止画とし、情報量を抑えて表示することが考えられる。一方、赤信号で停止している場合や渋滞で走行速度が低い場合であれば、車両の乗員でも複雑な内容や動画といった情報量の多い広告情報を把握することが可能である。
【００１１】
このため、沿道に設置したデジタルサイネージにおいて、単に情報量を抑えて広告情報を表示する手法は、停止している車両の乗員に対して、乗員が把握できる情報量よりも少ない情報量で表示することになり、適切ではない。例えば、詳細な内容や動画で多くの情報を伝えることができる機会を損なうことになる。
【００１２】
上記を考慮して、本実施形態は、車両の走行状況に基づいて広告情報の表示形態を選択し、選択された表示形態で広告情報をデジタルサイネージに表示させる情報処理装置（コンピュータ）を提供する。本実施形態において、表示形態としては、例えば、広告情報を簡潔な内容や静止画で表示する第一表示形態と、当該第一表示形態よりも情報量が多い詳細表示や動画で広告情報を表示する第二表示形態とが挙げられる。本実施形態において、デジタルサイネージは、広告情報を表示する表示装置であり、以下単に、表示装置とも称す。
【００１３】
情報処理装置は、道路に表示面を向けて沿道に設置された表示装置、換言すると道路を走行する車両の乗員に対して表示を行う表示装置に広告情報を表示する。本実施形態において、車両は、乗用車、バス、タクシー等、表示装置を見ることが想定される人が乗車し
、道路上を移動する移動手段であればよい。車両は、例えば、自転車、自動二輪車、路面電車等の移動手段を含んでもよい。また、本実施形態において、乗員は、車両に乗っている人であればよく、運転者や乗務員に限定されない。
【００１４】
広告情報は、飲食店、娯楽施設等の広告の他、交通情報、観光情報、気象情報、災害の警報や避難勧告等の情報（以下、災害情報とも称す）、施設の混雑状況、安全運転を啓蒙する標語といった各種情報を含むことができる。
【００１５】
本実施形態によれば、情報処理装置は、車両の走行状況に基づき、広告情報の表示形態として、第一表示形態、又は第二表示形態を選択し、選択された表示形態で広告情報を表示装置に表示させる。例えば、本実施形態の情報処理装置は、信号機が設置された道路において、信号機が青信号を示し、車両が止まらずに当該道路を走行する状況であった場合、第一表示形態を選択して、簡易な内容や静止画の広告情報を表示装置に表示させる。これにより、情報処理装置は、走行する車両の乗員に対して、把握し易い形態で広告情報を表示できる。一方、信号機が赤信号を示し、車両が信号機の前で止まる状況であった場合、第二表示形態を選択して、詳細な内容や動画の広告情報を表示装置に表示させる。これにより、情報処理装置は、停止した車両の乗員に対して、詳細に広告情報を表示できる。このように本実施形態の情報処理装置は、車両の乗員に対して、当該車両の走行状況に応じた適切な表示形態で広告情報を表示することができる。
【００１６】
＜実施形態＞
（システム概要）
図１は、本実施形態に係る広告表示システムの概略構成を示す図である。図１の例において、広告表示システムは、情報処理装置１や、複数の表示装置２を備えている。本実施形態の情報処理装置１は、広告を表示する道路（５０）に設置されている信号機の灯器が示す情報（以下、信号機情報とも称す）を当該道路（５０）を走行する車両の走行状況として取得する。例えば、情報処理装置１は、信号機を撮影するカメラ３を有し、当該カメラ３による撮影画像を解析して、各信号機の灯器が示す信号を取得する。
【００１７】
そして、情報処理装置１は、信号機情報が、青信号を示す場合に、第一表示形態を選択し、通信回線Ｎを介して、簡易な内容や静止画の広告情報を表示装置２へ送信し、表示させる。また、情報処理装置１は、信号機情報が、赤信号を示す場合に、第二表示形態を選択し、通信回線Ｎを介して、詳細な内容や動画の広告情報を表示装置２へ送信し、表示させる。
【００１８】
通信回線Ｎは、有線又は無線の通信回線であり、例えば、インターネット等の公衆通信網や、ＷＡＮ（Wide Area Network）等の通信網が採用されてもよい。また、通信回線Ｎ
は、携帯電話等の電話通信網、ＷｉＦｉ等の無線通信網を含んでもよい。
【００１９】
（装置構成）
情報処理装置１は、例えば、コンピュータによって構成される。かかるコンピュータは、プロセッサ１１、読み込み専用メモリ（ＲＯＭ）、ランダムアクセスメモリ（ＲＡＭ）等の主記憶部１２、ＥＰＲＯＭ、ハードディスクドライブ（ＨＤＤ）、リムーバブルメディア等の補助記憶部１３、表示装置２、カメラ３、あるいはその他の装置と通信するための通信部１４を備える。
【００２０】
プロセッサ１１は、制御部の一形態である。プロセッサ１１は、ＣＰＵとも呼ばれる。プロセッサ１１は、単一のプロセッサに限定されるものではなく、マルチプロセッサ構成であってもよい。また、プロセッサ１１は、マルチコア構成であってもよい。
【００２１】
補助記憶部１３は、オペレーティングシステム（ＯＳ）、各種プログラム、各種テーブル等を格納している。また、本実施形態の補助記憶部１３は、広告情報や、後述の広告情報テーブルを格納している。
【００２２】
プロセッサ１１が、補助記憶部１３に格納されたプログラムを主記憶部１２の作業領域にロードして実行し、プログラムの実行を通じて各構成部等が制御されることによって、後述するような、所定の目的を果たす各機能部を実現することができる。ただし、一部または全部の機能部はＡＳＩＣやＦＰＧＡのようなハードウェア回路（制御部）によって実現されてもよい。情報処理装置１は、単一のコンピュータによって構成される場合に限られず、互いに連携する複数台のコンピュータによって構成されてもよい。
【００２３】
（機能構成）
図２は、情報処理装置の機能構成を例示する図である。情報処理装置１は、プロセッサ１１が、補助記憶部１３に記憶されたアプリケーションプログラム（広告表示プログラム）を主記憶部１２にロードして実行することによって、図２に示す機能を実現する。すなわち、情報処理装置１は、状況取得部１０１、選択部１０２、表示制御部１０３を含む。
【００２４】
状況取得部１０１は、道路（５０）を走行する車両（７）の走行状況を取得する。例えば、広告情報を表示する対象の道路（５０）に設置されている信号機の灯器が示す信号（信号機情報）を車両（７）の走行状況として取得する。なお、信号機情報を取得するための具体的な処理については後述する。
【００２５】
選択部１０２は、走行状況に基づき、広告情報の表示形態として、第一表示形態、又は当該第一表示形態よりも情報量が多い第二表示形態を選択する。本実施形態において、第一表示形態とは、店舗名やキャッチフレーズのみの簡易な内容や静止画を表示する形態であり、第二表示形態と比較して情報量が少ない形態である。一方、第二表示形態とは、店舗の案内図や商品の具体的な説明などの詳細な内容や動画を表示する形態であり、第一表示形態と比較して情報量が多い形態である。
【００２６】
表示制御部１０３は、走行状況に基づいて選択された表示形態で広告情報を表示装置２に表示させる。例えば、表示制御部１０３は、広告情報テーブルを参照し、選択部１０２で選択された表示形態の広告情報を特定して、この広告情報を補助記憶部１３から読み出し、通信回線Ｎを介して表示装置２へ配信して表示させる。図３は、広告情報テーブル６０の一例を示す図である。図３の広告情報テーブル６０は、第一テーブル６１と、第二テーブル６２とを有している。第一テーブル６１は、表示内容が簡易な広告情報や静止画として表示される広告情報、即ち第一表示形態である広告情報の識別情報が登録されている。第二テーブル６２は、表示内容が詳細な広告情報や動画として表示される広告情報、即ち第二表示形態である広告情報の識別情報が登録されている。
【００２７】
表示制御部１０３は、選択部１０２で第一表示形態が選択された場合には、第一テーブル６１に登録されている広告情報の識別情報に基づいて、補助記憶部１３から第一表示形態である広告情報を読み出し、この広告情報を表示装置２へ送信して表示させる。また、表示制御部１０３は、選択部１０２で第二表示形態が選択された場合には、第二テーブル６２に登録されている広告情報の識別情報に基づいて、補助記憶部１３から第二表示形態である広告情報を読み出し、この広告情報を表示装置２へ送信して表示させる。
【００２８】
また、第一テーブル６１及び第二テーブル６２は、各広告情報の識別情報に対し、広告順序や広告する時間帯が登録されてもよい。なお、図３では、説明の便宜上、各項目の値を人が用いる言語で示したが、情報処理装置１が処理可能な形式であればよく、例えばバイナリデータで示されてもよい。
【００２９】
表示制御部１０３は、表示する際の現在時刻が通勤時間帯であれば、時間帯の項目に通勤時間帯と登録されている広告情報を広告順序の項目に示されている順序（図３の例では１〜１０）で表示させる。同様に、表示制御部１０３は、昼間時間帯であれば、広告順序が１１〜２０の広告情報を順に表示させ、帰宅時間帯であれば、広告順序が２１〜３０の広告情報を順に表示させる。即ち、表示制御部１０３は、時間帯毎に表示装置２に表示させる広告情報を異ならせている。なお、時間帯に限らず、曜日や季節に応じて表示させる広告情報を異ならせるようにしてもよい。
【００３０】
また、広告を行う商品やサービス、情報等の要素（以下、広告要素とも称す）毎に、第一表示形態である広告情報と第二表示形態である広告情報とを広告情報テーブルに登録しておき、このうち選択部１０２で選択された表示形態の広告情報を表示装置２に表示させてもよい。図４は、同じ広告要素について夫々、第一表示形態である広告情報と第二表示形態である広告情報とを登録した広告情報テーブル６０Ａの例を示す図である。
【００３１】
広告情報テーブル６０Ａは、広告要素毎に、第一表示形態である広告情報及び第二表示形態である広告情報の識別情報が登録されると共に、広告順序と、時間帯とが登録されている。これにより、表示制御部１０３は、現在時刻が属する時間帯に表示する広告要素のうち、広告順序の項目に示されている順序に従って表示する広告要素を特定する。そして、表示制御部１０３は、この広告要素と対応付けられた第一表示形態である広告情報及び第二表示形態である広告情報のうち、選択部１０２で選択されたものを表示装置２に表示させる。例えば、情報処理総理は、店舗Ａ（広告要素）について、店舗名や店舗の写真といった第一表示形態である広告情報と、店舗Ａの案内図や店舗Ａを紹介する動画像といった第二表示形態である広告情報を補助記憶部１３に記憶しておく。そして、情報処理装置１は、店舗Ａの広告情報を表示するタイミングで、信号機情報が青信号であれば店舗名や写真（静止画）を表示装置２に表示させる。また、情報処理装置１は、店舗Ａの広告情報を表示するタイミングで、信号機情報が赤信号であれば店舗Ａの案内図や店舗Ａを紹介する動画像を表示装置２に表示させる。
【００３２】
なお、表示装置２に広告情報を表示させる毎に、表示制御部１０３が、表示装置２へ広告情報を送信する構成に限らず、各表示装置２に予め広告情報を記憶させておく構成としてもよい。この場合、表示制御部１０３が、選択部１０２で選択された表示形態の広告情報を特定する制御信号を各表示装置へ送信し、各表示装置２が、この制御信号に基づいて特定した広告情報を表示する構成とすることが挙げられる。
【００３３】
次に、状況取得部１０１が、信号機情報を取得するための具体的な処理について説明する。図５は、カメラ３で信号機４０を撮影した撮影画像の一例を示す図である。図５に示すように、信号機４０は、青色に発光する灯器４１、黄色に発光する灯器４２、赤色に発光する灯器４３を有している。状況取得部１０１は、撮影画像から、所定の閾値以上の輝度で発光している灯器４１〜４３の色を信号機情報として取得する。即ち、状況取得部１０１は、青色、黄色、又は赤色を示す信号機情報を取得する。なお、青色の信号機情報を青信号、黄色の信号機情報を黄信号、赤色の信号機情報を赤信号とも称す。
【００３４】
また、各色に発光する灯器４１〜４３は、予め位置が定められているので、この位置に応じて色を判別してもよい。例えば、最も左側の灯器４１が所定の閾値以上に発光していれば青色、中央の灯器４２が発光していれば黄色、最も右側の灯器４３が発光していれば赤色を示す信号機情報を取得する。なお、縦型の信号機の場合、状況取得部１０１は、最も下の灯器が所定の閾値以上に発光していれば青色、中央の灯器が発光していれば黄色、最も上の灯器が発光していれば赤色を示す信号機情報を取得する。また、青色の矢印が示されている場合、状況取得部１０１は、青色を示す信号機情報を取得する。更に、灯器が
点滅している場合、状況取得部１０１は、黄色の点滅や、赤色の点滅のように、灯火の色と点滅していることを示す信号機情報を取得する。
【００３５】
なお、広告情報を表示する対象の道路が複数の場合、状況取得部１０１は、各道路に設置されている信号機から信号機情報を取得する。図６は、本実施形態において、複数の道路の車線５１Ａ〜５１Ｄを広告情報の表示対象とした場合のカメラ３Ａ〜３Ｄや表示装置２Ａ〜２Ｄの配置を示す図である。図６では、左側通行であって二車線の道路が交差した箇所の例を示している。
【００３６】
図６の下側に示されている道路の左側車線５１Ａは、車両が同図の下側から上側へ走行する車線である。信号機４０Ａは、車線５１Ａを走行する車両に対して、進行できることを示す信号（青信号）や、停止線５３Ａを超えて進行してはならないこと、即ち車両の進行が不可であることを示す信号（赤信号）等を表示する。車線５１Ａの対向車線である車線５１Ｂは、車両が図６の上側から下側へ走行する。信号機４０Ｂは、車線５１Ｂを走行する車両に対して、進行できることを示す信号（青信号）や、停止線５３Ｂを超えて進行してはならないことを示す信号（赤信号）等を表示する。
【００３７】
また、図６の右側に示されている道路の左側車線５１Ｃは、車両が同図の右側から左側へ走行する車線である。信号機４０Ｃは、車線５１Ｃを走行する車両に対して、進行できることを示す信号（青信号）や、停止線５３Ｃを超えて進行してはならないことを示す信号（赤信号）等を表示する。車線５１Ｃの対向車線である車線５１Ｄは、車両が図６の左側から右側へ走行する。信号機４０Ｄは、車線５１Ｄを走行する車両に対して、進行できることを示す信号（青信号）や、停止線５３Ｄを超えて進行してはならないことを示す信号（赤信号）等を表示する。
【００３８】
カメラ３Ａ〜３Ｄは、信号機４０Ａ〜４０Ｄを撮影できる位置に夫々設けられている。状況取得部１０１は、カメラ３Ａ〜３Ｄから信号機４０Ａ〜４０Ｄの信号機情報を夫々取得する。なお、各カメラ３Ａ〜３Ｄが、どの信号機４０Ａ〜４０Ｄを撮影するのかは、予め定められているので、状況取得部１０１は、カメラ３Ａ〜３Ｄと通信して信号機情報を取得する際、各カメラ３Ａ〜３Ｄの識別情報（ＭＡＣアドレス等）に基づいて、どの信号機４０Ａ〜４０Ｄの信号機情報であるかを識別できる。
【００３９】
また、表示装置２Ａ〜２Ｄは、表示面２１Ａ〜２１Ｄを車線５１Ａ〜５１Ｄに向け、歩道５２を挟んで各車線５１Ａ〜５１Ｄと近接する土地或は建物（以下、近接地とも称す）に設置されている。表示装置２Ａ〜２Ｄの設置場所は、道路の近接地に限らず、道路を走行する車両の乗員から見える場所であればよく、例えば道路の植樹帯や中央分離帯などであってもよい。なお、植樹帯や中央分離帯に設置した表示装置には、交通情報や気象情報を表示させ、道路の近接地に設置した表示装置には、店舗や娯楽施設を紹介する情報を表示させるといったように、表示装置の設置場所毎に、表示する広告情報の種別を定めてもよい。
【００４０】
なお、図５、図６では、カメラ３で信号機４０を撮影して信号機情報を取得する例を示したが、これに限らず、信号機４０を制御する交通管制センタから各信号機４０の信号機情報を取得してもよい。
【００４１】
（広告表示方法）
図７は、情報処理装置１が実行する表示制御方法（情報処理方法）の処理手順を示す図である。図７に示す処理は、例えば、情報処理装置１の電源が投入されたことや、情報処理装置１の管理者によって処理の開始操作が行われたことを契機として開始される。
【００４２】
ステップＳ１０にて、情報処理装置１は、走行状況として、カメラ３（図１）から信号機情報を取得する。なお、情報処理装置１は、図６に示すように、複数のカメラ３Ａ〜３Ｄから、複数の道路に設置された信号機４０Ａ〜４０Ｄの信号機情報を取得してもよい。なお、信号機４０Ａと信号機４０Ｂとが、同じタイミングで同じ信号を表示する場合には、何れか一方の信号機情報を取得する構成としてもよい。同様に、信号機４０Ｃと信号機４０Ｄとが、同じタイミングで同じ信号を表示する場合には、何れか一方の信号機情報を取得する構成としてもよい。
【００４３】
ステップＳ２０にて、情報処理装置１は、ステップＳ１０で取得した信号機情報に基づいて、車両の進行が可能か否かを判定する。なお、信号機情報が、青信号や青色の矢印信号、黄色の点滅信号であった場合、車両の進行が可能なので、肯定判定とする。また、信号機情報が、黄信号であった場合、車両が完全に停止していないことが多いため、本実施形態では、肯定判定とする。更に、信号機情報が、赤色の点滅信号であった場合、一旦停止して安全確認を行った後、車両の進行が可能となるため、本実施形態では、肯定判定とする。信号機情報が、赤信号であった場合、停止線を超えて進行してはならないため、否定判定とする。
【００４４】
ステップＳ２０にて、肯定判定の場合、情報処理装置１は、ステップＳ３０へ移行し、第一表示形態を選択する。一方、ステップＳ２０にて、否定判定の場合、情報処理装置１は、ステップＳ４０へ移行し、第二表示形態を選択する。
【００４５】
ステップＳ５０にて、情報処理装置１は、現在時刻を取得し、通勤時間帯、昼間時間帯、帰宅時間帯、深夜時間帯など、所定の時間帯のうち、現在、どの時間帯に属するかを確認する。
【００４６】
ステップＳ６０にて、情報処理装置１は、広告情報テーブルを参照し、ステップＳ３０又はステップＳ４０で選択した表示形態であって、ステップＳ５０で確認した現在の時間帯に表示を行う広告情報を補助記憶部１３から取得する。
【００４７】
ステップＳ７０にて、情報処理装置１は、ステップＳ６０で取得した広告情報を表示装置２Ａ〜２Ｄ（図６）へ送信して表示させる。
【００４８】
ステップＳ８０にて、情報処理装置１は、広告情報の表示が終了したか否かを判定する。例えば、広告情報の表示を開始させてから所定時間が経過した場合に、表示が終了したと判定する。
【００４９】
ステップＳ８０で肯定判定の場合、情報処理装置１は、図７の処理を終了する。なお、情報処理装置１は、電源が遮断されるまで、又は、管理者によって停止操作が行われるまで、図７の処理を繰り返し実行する。なお、情報処理装置１は、図７の処理を繰り返し実行し、ステップＳ６０で広告情報を取得する際、広告情報テーブルの広告順序に基づき、前回の処理で表示した広告情報の次の広告情報を取得することとし、広告情報を順番に表示させてもよい。また、ステップＳ５０〜Ｓ７０で、現在の時間帯に応じた広告情報を取得して表示させる構成としたが、これに限らず、ステップＳ５０を省略し、表示する広告情報を時間帯に応じて区別しない構成としてもよい。
【００５０】
（作用効果）
本実施形態の情報処理装置１は、走行状況として、信号機情報を取得する。このため、情報処理装置１は、車両が走行中であるか、停止中であるかが特定でき、走行中であれば、把握し易い第一表示形態の広告情報を表示させ、停止中であれば情報量が多い第二表示形態の広告情報を表示させる。このように、本実施形態の情報処理装置１は、走行状況に
応じて適切に広告情報を表示させることができる。
【００５１】
（変形例１）
前述の実施形態では、走行状況として信号機情報を取得した例を示したが、これに限らず、走行情報として、道路の混雑の程度を示す情報（以下、混雑情報とも称す）を取得し、この混雑情報に応じて表示形態を選択する構成としてもよい。なお、この他の構成は、前述の実施形態と同じであるため、同一の要素には同符号を付すなどして、再度の説明を省略する。
【００５２】
本変形例では、カメラ３で信号機を撮影するのではなく、道路を走行する車両を撮影する。そして、情報処理装置１の状況取得部１０１は、カメラ３の撮影画像からパターンマッチングによって車両を抽出し、この車両が所定時間内に進んだ距離から車速を算出し、この車速に基づいて混雑情報を取得する。例えば、状況取得部１０１は、この車速が所定値（３０ｋｍ／ｈ）未満の状態が所定時間（例えば１分）以上継続した場合に、混雑していることを示す混雑情報を取得する。即ち、車両が右左折等のために一時的に速度を落としたような場合には、混雑とせず、速度が低下した車両が所定時間以上存在する場合に、混雑している状況とする。また、車速が所定値未満の状態が継続しない場合や、車速が所定値以上の状態に、混雑していないことを示す混雑情報を取得する。
【００５３】
状況取得部１０１は、カメラ３の撮影画像から車速を算出する構成に限らず、車両に搭載されているナビゲーション装置等の車載機と通信することにより、車両の車速を取得する構成としてもよい。また、状況取得部１０１は、ＶＩＣＳ（登録商標，Vehicle Information and Communication System）の渋滞情報をビーコンやＦＭ放送から取得し、混雑情報として用いてもよい。
【００５４】
図８は、変形例１に係る表示制御方法の処理手順を示す図である。ステップＳ１０Ａにて、情報処理装置１は、走行状況として、混雑情報を取得する。
【００５５】
ステップＳ２０Ａにて、情報処理装置１は、ステップＳ１０Ａで取得した混雑情報に基づいて、混雑しているか否かを判定する。
【００５６】
ステップＳ２０Ａにて、否定判定の場合、情報処理装置１は、ステップＳ３０へ移行し、第一表示形態を選択する。一方、ステップＳ２０Ａにて、肯定判定の場合、情報処理装置１は、ステップＳ４０へ移行し、第二表示形態を選択する。なお、以降の処理（ステップＳ５０〜Ｓ８０）は、前述の図７と同様である。
【００５７】
本変形例によれば、道路が混雑していない状況であれば、把握し易い第一表示形態の広告情報を表示させ、道路が混雑している状況であれば情報量が多い第二表示形態の広告情報を表示させる。このように、本実施形態の情報処理装置１は、混雑の程度に応じて適切に広告情報を表示させることができる。なお、本変形例では、混雑情報に応じて表示形態を選択したが、車速に応じて表示形態を選択する構成としてもよい。例えば、図８のステップＳ１０Ａで、上記のように算出した車速を走行状況として取得し、ステップＳ２０Ａにて、当該車速が処置値未満か否かを判定する。そして、車速が所定値未満でなければ、ステップＳ３０で第一表示形態を選択し、車速が所定値未満であればステップＳ４０で第二表示形態を選択する。なお、以降の処理は、図８と同じである。このように、車速に基づいて表示形態を選択する構成としても、本変形例と同様に、広告情報を適切な表示形態で表示させることができる。
【００５８】
（変形例２）
本変形例では、走行状況として信号機情報及び混雑情報を取得し、これらに基づいて表
示形態を選択する。なお、この他の構成は、前述の実施形態又は変形例１と同じであるため、同一の要素には同符号を付すなどして、再度の説明を省略する。
【００５９】
本変形例において、信号機情報を取得する構成は、前述の実施形態と同じであり、混雑情報を取得する構成は、変形例１と同じである。なお、カメラで信号機情報と混雑情報を取得するのであれば、信号機４０を撮影するカメラと、道路を走行する車両を撮影するカメラとをそれぞれ備えてもよい。
【００６０】
図９は、変形例２に係る表示制御方法の処理手順を示す図である。情報処理装置１は、ステップＳ１０にて信号機情報を取得し、ステップＳ１５にて混雑情報を取得する。
【００６１】
ステップＳ２０にて、情報処理装置１は、ステップＳ１０で取得した信号機情報に基づいて、車両の進行が可能か否かを判定する。
【００６２】
ステップＳ２０で肯定判定の場合、情報処理装置１は、ステップＳ２５へ移行し、ステップＳ１５で取得した混雑情報に基づいて、混雑しているか否かを判定する。
【００６３】
ステップＳ２５にて、否定判定の場合、情報処理装置１は、ステップＳ３０へ移行し、第一表示形態を選択する。一方、ステップＳ２０で否定判定の場合、及びステップＳ２５で肯定判定の場合、情報処理装置１は、ステップＳ４０へ移行し、第二表示形態を選択する。なお、以降の処理（ステップＳ５０〜Ｓ８０）は、前述の図７と同様である。
【００６４】
本変形例によれば、信号機４０が青信号を示し、且つ道路が混雑していない場合、車両が走行可能な状況であるため、情報処理装置１は、把握し易い第一表示形態の広告情報を表示させる。また、信号機４０が青信号を示している場合であっても、道路が混雑している場合、車両が停止又は停滞している状況であるため、情報処理装置１は、情報量が多い第二表示形態の広告情報を表示させる。更に、信号機４０が赤信号を示している場合、情報処理装置１は、第二表示形態の広告情報を表示させる。このように、本実施形態の情報処理装置１は、信号機情報及び混雑情報に応じて適切に広告情報を表示させることができる。
【００６５】
（変形例３）
前述の実施形態では、走行状況として信号機情報を取得した例を示したが、これに限らず、走行情報として、車両が自動運転中か否かを示す情報（以下、自動運転情報とも称す）を取得し、この自動運転情報に基づいて表示形態を選択する構成としてもよい。なお、この他の構成は、前述の実施形態と同じであるため、同一の要素には同符号を付すなどして、再度の説明を省略する。
【００６６】
図１０は、本変形例に係る広告表示システムの概略構成を示す図である。図１０に示すように、本変形例では、車両７が、自動運転システム７０を備え、自動運転システム７０が、目的地までの経路及び周囲の交通状況を認識し、車両７のステアリング操作や加減速の操作等の運転操作を行い、目的地まで自動運転を行うことができる。情報処理装置１は、通信回線Ｎを介して、車両７の自動運転システム７０と通信し、車両７が自動運転中か否かを示す情報（自動運転情報）を走行状況として取得する。
【００６７】
図１１は、変形例３に係る表示制御方法の処理手順を示す図である。ステップＳ１０Ｂにて、情報処理装置１は、走行状況として、自動運転情報を取得する。
【００６８】
ステップＳ２０Ｂにて、情報処理装置１は、ステップＳ１０Ｂで取得した自動運転情報に基づいて、車両７が自動運転中か否かを判定する。
【００６９】
ステップＳ２０Ｂにて、否定判定の場合、情報処理装置１は、ステップＳ３０へ移行し、第一表示形態を選択する。一方、ステップＳ２０Ｂにて、肯定判定の場合、情報処理装置１は、ステップＳ４０へ移行し、第二表示形態を選択する。なお、以降の処理（ステップＳ５０〜Ｓ８０）は、前述の図７と同様である。
【００７０】
本変形例によれば、情報処理装置１は、車両７が自動運転中でない状況であれば、把握し易い第一表示形態の広告情報を表示させる。また、車両７が自動運転中であれば、車両７の乗員は運転に気を使う必要がなく、表示装置２を注視することができるため、情報処理装置１は、情報量が多い第二表示形態の広告情報を表示装置２に表示させる。このように、本実施形態の情報処理装置１は、車両７が自動運転中か否かに応じて適切に広告情報を表示させることができる。
【００７１】
（変形例４）
本変形例では、走行状況として信号機情報と混雑情報と自動運転情報とを取得し、これらに基づいて表示形態を選択する。なお、この他の構成は、前述の変形例２と同じであるため、同一の要素には同符号を付すなどして、再度の説明を省略する。
【００７２】
本変形例において、自動運転情報を取得する構成は、前述の変形例３と同じであり、信号機情報や混雑情報を取得する構成は、変形例２と同じである。
【００７３】
図１２は、変形例４に係る表示制御方法の処理手順を示す図である。情報処理装置１は、ステップＳ１０にて信号機情報を取得し、ステップＳ１５にて混雑情報を取得し、ステップＳ１７にて自動運転情報を取得する。
【００７４】
ステップＳ２０にて、情報処理装置１は、ステップＳ１０で取得した信号機情報に基づいて、車両の進行が可能か否かを判定する。
【００７５】
ステップＳ２０で肯定判定の場合、情報処理装置１は、ステップＳ２５へ移行し、ステップＳ１５で取得した混雑情報に基づいて、混雑しているか否かを判定する。
【００７６】
ステップＳ２５にて、否定判定の場合、情報処理装置１は、ステップＳ２７へ移行し、ステップＳ１７で取得した自動運転情報に基づいて、車両が自動運転中か否かを判定する。
【００７７】
ステップＳ２７で否定判定の場合、情報処理装置１は、ステップＳ３０へ移行し、第一表示形態を選択する。一方、ステップＳ２０で否定判定の場合、及びステップＳ２５，Ｓ２７で肯定判定の場合、情報処理装置１は、ステップＳ４０へ移行し、第二表示形態を選択する。なお、以降の処理（ステップＳ５０〜Ｓ８０）は、前述の図７と同様である。
【００７８】
本変形例によれば、信号機４０が青信号を示し、道路が混雑していない状況で、車両が自動運転中でない場合、運転者が運転に注意を向けることになるため、情報処理装置１は、広告情報を把握し易い第一表示形態で表示させる。また、信号機４０が青信号を示している場合であっても、車両が自動運転中であれば、運転者が運転する必要がないため、情報処理装置１は、情報量が多い第二表示形態の広告情報を表示させる。このように、本実施形態の情報処理装置１は、信号機情報、混雑情報、及び自動運転情報に応じて適切に広告情報を表示させることができる。
【００７９】
＜その他の実施形態＞
上記の実施形態はあくまでも一例であって、本発明はその要旨を逸脱しない範囲内で適
宜変更して実施しうる。
【００８０】
また、本開示において説明した構成や処理は、技術的な矛盾が生じない限りにおいて、自由に組み合わせて実施することができる。
【００８１】
また、１つの装置が行うものとして説明した処理が、複数の装置によって分担して実行されてもよい。あるいは、異なる装置が行うものとして説明した処理が、１つの装置によって実行されても構わない。コンピュータシステムにおいて、各機能をどのようなハードウェア構成（サーバ構成）によって実現するかは柔軟に変更可能である。
【００８２】
本発明は、上記の実施形態で説明した機能を実装したコンピュータプログラムをコンピュータに供給し、当該コンピュータが有する１つ以上のプロセッサがプログラムを読み出して実行することによっても実現可能である。このようなコンピュータプログラムは、コンピュータのシステムバスに接続可能な非一時的なコンピュータ可読記憶媒体によってコンピュータに提供されてもよいし、ネットワークを介してコンピュータに提供されてもよい。非一時的なコンピュータ可読記憶媒体は、例えば、磁気ディスク（フロッピー（登録商標）ディスク、ハードディスクドライブ（ＨＤＤ）等）、光ディスク（ＣＤ−ＲＯＭ、ＤＶＤディスク、ブルーレイディスク等）など任意のタイプのディスク、読み込み専用メモリ（ＲＯＭ）、ランダムアクセスメモリ（ＲＡＭ）、ＥＰＲＯＭ、ＥＥＰＲＯＭ、磁気カード、フラッシュメモリ、光学式カード、電子的命令を格納するために適した任意のタイプの媒体を含む。
【符号の説明】
【００８３】
１：情報処理装置
２，２Ａ，２Ｂ，２Ｃ，２Ｄ：表示装置
３，３Ａ，３Ｂ，３Ｃ，３Ｄ：カメラ
７：車両
１１：プロセッサ
１２：主記憶部
１３：補助記憶部
１４：通信部
４０，４０Ａ，４０Ｂ，４０Ｃ，４０Ｄ：信号機
【図１】
2020030361.tif 000003
【図２】
2020030361.tif 000004
【図３】
2020030361.tif 000005
【図４】
2020030361.tif 000006
【図５】
2020030361.tif 000007
【図６】
2020030361.tif 000008
【図７】
2020030361.tif 000009
【図８】
2020030361.tif 000010
【図９】
2020030361.tif 000011
【図１０】
2020030361.tif 000012
【図１１】
2020030361.tif 000013
【図１２】
2020030361.tif 000014